(57)【特許請求の範囲】
【請求項１】
中皿に収容される粉末化粧料展示用見本であって、
シート状の発泡材と、
前記発泡材の片面に塗布された粘着剤と、
前記粘着剤に付着する粉末化粧料と、を具備し、
前記発泡材は、厚さが３〜７ｍｍ、見かけ密度が０．０２４〜０．０５ｇ／ｃｍ２、タイプＡデュロメータ硬さが１５〜３９であり、
前記粘着剤は、厚さが０．０５〜０．１５ｍｍであることを特徴とする粉末化粧料展示用見本。
【請求項２】
前記発泡材は、独立気泡架橋ポリエチレンより成ることを特徴とする請求項１記載の粉末化粧料展示用見本。
【請求項３】
前記粉末化粧料は、油分を含有していることを特徴とする請求項１又は２記載の粉末化粧料展示用見本。
【発明の詳細な説明】
【技術分野】
【０００１】
本発明は、粉末化粧料展示用見本に関する。
【背景技術】
【０００２】
従来、粉末化粧料の店頭用見本は、展示用として用意されているものはなく、金属や樹脂製の中皿に粉末化粧料を充填してプレスしこの中皿を容器にセットした現品（実際の商品）を店頭用見本として展示していた。
【０００３】
しかしながら、上記店頭用見本にあっては、不特定多数の人の指が粉末化粧料に触れることから、粉末が飛散して陳列什器（見本台）の粉汚れが発生し商品の印象が悪くなる虞があると共に、長期間の展示に伴い粉末化粧料が減少し当初の商品の外観が損なわれる虞がある。
【０００４】
ここで、薄い合成樹脂フィルムや台紙上に接着剤を介して少量の粉末化粧料を貼着し概ね１回使用のお試し用として試供する試供品（サンプル）として、以下の特許文献に記載のものが知られている。
【先行技術文献】
【特許文献】
【０００５】
【特許文献１】特許第２９２７５３６号公報
【特許文献２】特開平９−２０６１６号公報
【特許文献３】特公平５−１８８０５号公報
【発明の概要】
【発明が解決しようとする課題】
【０００６】
しかしながら、上記特許文献に記載のものを始めとした試供品を店頭用見本とした場合には、現品に対して外観、質感（触り心地や付け心地）が大きく相違し、購買意欲が削がれるといった問題がある。
【０００７】
そこで、本発明は、現品と比べて遜色のない外観、質感が得られ、且つ、指で粉末化粧料を擦ったときに粉が飛散する粉飛びが極力抑えられると共に数回指で粉末化粧料を擦った後に指に粉が付着する粉離れが極力抑えられ、その結果、陳列什器の粉汚れが極力抑えられ、且つ、長期間展示していても当初の外観が維持され、且つ、外観、質感が損なわれない程度に数回の実使用に耐えられ、且つ、製造コストが低減され、加えて、容易且つ高いレフィル性（詰め替え性）を有する、店頭用見本を始めとした粉末化粧料展示用見本を提供することを目的としている。
【課題を解決するための手段】
【０００８】
本発明による粉末化粧料展示用見本は、中皿に収容される粉末化粧料展示用見本であって、シート状の発泡材と、発泡材の片面に塗布された粘着剤と、粘着剤に付着する粉末化粧料と、を具備し、発泡材は、厚さが３〜７ｍｍ、見かけ密度が０．０２４〜０．０５ｇ／ｃｍ２、タイプＡデュロメータ硬さが１５〜３９であり、粘着剤は、厚さが０．０５〜０．１５ｍｍであることを特徴としている。
【０００９】
このような粉末化粧料展示用見本によれば、発泡材の片面に粘着剤を介して粉末化粧料が付着し、表面の粉末化粧料が視認されるため、現品と比べて遜色ない外観が得られると共に、この粉末化粧料を有する発泡材を中皿に入れることで表面の粉末化粧料のみが視認されるため、一層現品と比べて遜色ない外観が得られる。また、粉末化粧料を粘着剤を介して発泡材に付着させるため、発泡材による弾力性が生じ、プレスをすることで中に空気が入り弾力性を有する適度に柔らかい質感を有する現品と遜色ない質感（触り心地）が得られる。また、発泡材の見かけ密度が０．０２４〜０．０５ｇ／ｃｍ２、タイプＡデュロメータ硬さが１５〜３９であるため、柔らかすぎず硬すぎず適度で現品と比べても遜色のない質感が得られる。また、粘着剤と接している粉末化粧料は指で擦られても剥離し難く、且つ、粉末化粧料が指で擦られると発泡材が弾力性によりへこみ剥離力が軽減されて粉末化粧料が一層剥離し難くなるため、粉飛び及び粉離れが極力抑えられて陳列什器の粉汚れが極力抑えられると共に長期間展示していても当初の外観が維持され、且つ、外観、質感が損なわれない程度に数回の実使用に耐えることができる。また、発泡材の厚さを３ｍｍ以上としているため、３ｍｍより薄く発泡材をスライスし難い、という製造上の問題はなく、且つ、７ｍｍ以下としているため、最大深さが約７〜８ｍｍの中皿に綺麗且つきちんと収容される。また、粘着剤の厚さを０．０５ｍｍ以上としているため、０．０５ｍｍより薄く発泡材の凹凸により粘着剤の表面が平滑にならず粉末化粧料が波打ってしまい外観が損なわれてしまう、という問題はなく、且つ、０．１５ｍｍ以下としているため、現状の塗工設備ではこれより厚い粘着剤を形成し難い、という問題はなく容易に形成できる。また、使用する粉末化粧料の量が少なくされると共にプレス工程がなくされ且つ製造が容易とされるため、製造コストが低減される。さらにまた、数回指で粉末化粧料が擦られたら、その都度中皿に対して交換すれば良く、容易且つ高いレフィル性を有する。
【００１０】
ここで、発泡材は、独立気泡架橋ポリエチレンより成ると、柔らかすぎず硬すぎず適度で現品と比べても遜色のない質感を容易に得ることができる。
【００１１】
また、粉末化粧料は、油分を含有していると、発色が良く且つ肌へのくっつきが良い。
【発明の効果】
【００１２】
このように本発明によれば、現品と比べて遜色のない外観、質感を呈し、且つ、陳列什器の粉汚れを極力抑えることができ、且つ、長期間展示していても当初の外観を維持でき、且つ、外観、質感を損なわない程度に数回の実使用に耐えることができ、且つ、製造コストを低減でき、加えて、容易且つ高いレフィル性を有する粉末化粧料展示用見本を提供することが可能となる。
【図面の簡単な説明】
【００１３】
【図１】本発明の一実施形態に係る粉末化粧料展示用見本を備えたコンパクト容器を示す斜視図である。
【図２】図１中の粉末化粧料展示用見本及び中皿を示す一部破断斜視図である。
【図３】粉末化粧料展示用見本に用いられる発泡材の見かけ密度とタイプＡデュロメータ硬さとの関係を示す線図である。
【発明を実施するための形態】
【００１４】
以下、添付図面を参照して、本発明の実施形態について詳細に説明する。図１は、粉末化粧料展示用見本を備えたコンパクト容器を示す斜視図、図２は、粉末化粧料展示用見本及び中皿を示す一部破断斜視図であり、この実施形態の粉末化粧料展示用見本は、ここでは、アイシャドウの展示用見本である。
【００１５】
図１に示すように、コンパクト容器１００は、複数（ここでは４個）の収容凹部１ａを上面に備えた容器本体１と、この容器本体１に上下方向に回動自在に枢着され当該容器本体１の上面を開閉する蓋体２と、を具備している。容器本体１の収容凹部１ａには、粉末化粧料展示用見本（以下展示用見本と呼ぶ）３を収容した中皿４が交換自在にセットされる。これら容器本体１、蓋体２及び中皿４の構成は現品と同様である。
【００１６】
展示用見本３は、中皿４に対して交換可能に収容されている。そして、ここでは、４色の色違いの展示用見本３が個々の中皿４に収容されている。
【００１７】
展示用見本３は、図２に示すように、シート状の発泡材３ａと、この発泡材３ａの片面（表面）に塗布された粘着剤３ｂと、この粘着剤３ｂに付着する粉末化粧料３ｃと、を備えた３層構造に構成されている。
【００１８】
発泡材３ａは、ここでは、独立気泡架橋ポリエチレンより成り、厚さが３〜７ｍｍとされている。
【００１９】
粘着剤３ｂは、傾斜式ボールタック法（Ｊ．Ｄｏｗ法とも称す）に基づく以下の粘着性を有するものが用いられている。この粘着性は、具体的には、傾斜角３０°の傾斜板上に粘着面を備えた三角形の装置の頂上から、直径１／３２〜１インチまでの鋼球を転がし、粘着面で停止したボールナンバーで表示するものであり、本実施形態の粘着剤３ｂは、ボールナンバー１４〜３２の粘着性を有している。そして、この粘着剤３ｂの厚さは、０．０５〜０．１５ｍｍとされている。
【００２０】
粉末化粧料３ｃはアイシャドウであり、油分を所定に含有している。この粉末化粧料３ｃの厚さは、厚すぎて指で擦ってボロボロ剥離する、ということがない厚さで、且つ、薄すぎて下地である発泡材３ａが見えてしまう、ということがない厚さである。
【００２１】
なお、ここでは、特に好ましいとして、粉末化粧料３ｃをヘラで塗って伸ばして付着させているが、他の方法で粘着剤３ａに付着させるようにしても良い。
【００２２】
このような構成を有する展示用見本３によれば、発泡材３ａの片面に粘着剤３ｂを介して粉末化粧料３ｃが付着し、表面の粉末化粧料３ｃが視認されるため、現品と比べて遜色ない外観を得ることができると共に、この粉末化粧料３ｃを有する発泡材３ａを中皿４に入れることで表面の粉末化粧料３ｃのみが視認されるため、一層現品と比べて遜色ない外観を得ることができる。
【００２３】
また、粉末化粧料３ｃを粘着剤３ｂを介して発泡材３ａに付着させるため、発泡材３ａによる弾力性が生じ、プレスをすることで中に空気が入り弾力性を有する適度に柔らかい質感を有する現品と遜色ない質感（触り心地）を得ることができる。なお、従来技術のように薄い合成樹脂フィルムや台紙等の基材上に粉末化粧料を付着させると、弾力性がなく硬い質感となる。また、厚くても硬い基材の上に粘着剤を介して粉末化粧料を付着させると、硬い質感で質感が損なわれてしまう。
【００２４】
ここで、発泡材の見かけ密度とタイプＡデュロメータ硬さとの関係と、官能評価との関係について説明する。図３は、発泡材の見かけ密度とタイプＡデュロメータ硬さとの関係を示す線図であり、ここでは、発泡材は独立気泡架橋ポリエチレンより成る。本発明者の実験によると、適正範囲Ｘで示すように、発泡材の見かけ密度が０．０２４〜０．０５ｇ／ｃｍ２、タイプＡデュロメータ硬さが１５〜３９であると、柔らかすぎず硬すぎず適度で現品と比べても遜色のない質感（官能評価）を得ることができ、特に、見かけ密度が０．０３３ｇ／ｃｍ２、タイプＡデュロメータ硬さが２５であると、現品とほぼ同じ質感が得ることができた。なお、柔らかすぎると表面が波打ってしまい外観が損なわれてしまう。
【００２５】
また、本実施形態の展示用見本３によれば、粘着剤３ｂと接している粉末化粧料３ｃは指で擦られても剥離し難く、且つ、粉末化粧料３ｃが指で擦られると発泡材３ａが弾力性によりへこみ剥離力が軽減されて粉末化粧料３ｃが一層剥離し難くなるため、粉飛び及び粉離れが極力抑えられて陳列什器の粉汚れを極力抑えることができると共に長期間展示していても当初の外観を維持でき、且つ、外観、質感を損なわない程度に数回（１、２回）の実使用に耐えることができる。なお、従来技術のように薄い合成樹脂フィルムや台紙等の基材や、硬い基材の上に粘着剤を介して粉末化粧料を付着させた場合には、粉末化粧料を指で擦ると基材がへこまないことから粉末化粧料が容易に剥離してしまい、粉汚れが発生しやすく、且つ、下地である基材が露出し外観が損なわれてしまう。
【００２６】
また、発泡材３ａの厚さを３ｍｍ以上としているため、３ｍｍより薄く発泡材をスライスし難い、という製造上の問題はなく、且つ、７ｍｍ以下としているため、最大深さが約７〜８ｍｍの中皿に綺麗且つきちんと収容できる。
【００２７】
また、粘着剤３ｂの厚さを０．０５ｍｍ以上としているため、０．０５ｍｍより薄く発泡材３ａの凹凸により粘着剤３ｂの表面が平滑にならず粉末化粧料３ｃが波打ってしまい外観が損なわれてしまう、という問題はなく、且つ、０．１５ｍｍ以下としているため、現状の塗工設備ではこれより厚い粘着剤を形成し難い、という問題はなく容易に形成できる。
【００２８】
また、使用する粉末化粧料３ｃの量が少なくされると共にプレス工程がなくされ且つ製造が容易とされるため、製造コストを低減できる。
【００２９】
また、数回指で粉末化粧料３ｃが擦られたら、その都度展示用見本３を中皿４に対して交換すれば良く、容易且つ高いレフィル性を有するものとすることができる。
【００３０】
また、発泡材３ａは独立気泡架橋ポリエチレンより成るため、柔らかすぎず硬すぎず適度で現品と比べても遜色のない質感を容易に得ることができる。なお、発泡材３ａが連続気泡架橋ポリエチレンより成ると、柔らかすぎて所望の質感を得ることができない。
【００３１】
また、粉末化粧料３ｃは油分を含有しているため、発色が良く且つ肌へのくっつきが良い。なお、粉末化粧料３ｃが油分を含有していない場合には、発色が悪く且つ肌へのくっつきが悪い。
【００３２】
さらにまた、粘着剤３ｂは、ボールナンバー１４〜３２の粘着性を有しているため、最適に粉末化粧料３ｃを付着できる。なお、ボールナンバー１４〜３２の粘着性を有する粘着剤であれば、どのような粘着剤を用いても良いが、例えば、アクリル系の粘着剤やエポキシ系の粘着剤を用いるのが好ましい。なお、ボールナンバーが１４より小さいと、粘着力が弱すぎる。
【００３３】
加えて、本実施形態にあっては、発泡材３ａが有する凹凸に粘着剤３ｂが入り込んで粉末化粧料３ｃが押え付けられた状態とされ、密着性の向上が図られている。
【００３４】
以上、本発明をその実施形態に基づき具体的に説明したが、本発明は上記実施形態に限定されるものではなく、例えば、上記実施形態においては、特に好適であるとして、展示用見本３をアイシャドウとしたが、例えば、ファンデーション、チークパウダー等を展示用見本とする場合にも適用できる。
【符号の説明】
【００３５】
３…粉末化粧料展示用見本、３ａ…発泡材、３ｂ…粘着剤、３ｃ…粉末化粧料、４…中皿、１００…コンパクト容器。
【図１】
0005771813.tif 000002
【図２】
0005771813.tif 000003
【図３】
0005771813.tif 000004